(57)【要約】【課題】容易に、交通情報を収集することができるようにする。【解決手段】携帯電話１は、例えば、複数の基地局から電波を受信することで、自分自身の位置を検出するとともに、自分自身が所定の地点に到達したか否かを判定し、その地点に到達したとき、その地点の位置情報および到達した時刻などを、管理装置２に送信する。管理装置２は、携帯電話１から送信された位置情報や到達時刻に基づいて、携帯電話１の移動速度を算出する。すなわち、携帯電話１から送信されてきた各種情報に基づいて、交通情報を取得することができる。本発明は、交通情報システムに適用することができる。【選択図】図１
2004030684.tif 000002
【特許請求の範囲】
【請求項１】
　１台以上の移動体に携帯された携帯通信端末を、交通情報収集に必要な期間においてのみ識別できる識別情報を生成する生成手段と、
　２カ所以上の所定の地点に前記携帯通信端末が到達したときの到達時刻、または２個以上の所定の時刻における前記携帯通信端末の到達位置を、前記識別情報に基づいて収集する収集手段と、
　前記収集手段により収集された前記到達時刻または到達位置と、前記生成手段により生成された前記識別情報とを対応付けて記憶部に記憶する記憶手段と、
　前記識別情報と対応付けられて前記記憶部に記憶されている前記到達時刻または到達位置に基づいて、前記移動体の移動状態を検出する検出手段と
　を備えることを特徴とする情報処理装置。
【請求項２】
　前記識別情報は、ランダムに発生した数値を含む
　ことを特徴とする請求項１に記載の情報処理装置。
【請求項３】
　前記移動状態は、前記移動体の移動時間、または移動速度である
　ことを特徴とする請求項１に記載の情報処理装置。
【請求項４】
　前記検出手段は、前記識別情報と対応付けられて前記記憶部に記憶されている前記到達時刻または到達位置、並びに前記移動状態として検出した移動速度または移動時間に基づいて、任意の区間または時間帯の空間速度または所要時間を算出する
　ことを特徴とする請求項１に記載の情報処理装置。
【請求項５】
　前記生成手段は、所定のタイミングで、前記携帯通信端末に記憶された前記識別情報の消去を、前記携帯通信端末に対して指示する
　ことを特徴とする請求項１に記載の情報処理装置。
【請求項６】
　１台以上の移動体に携帯された携帯通信端末、および前記携帯通信端末と無線で通信する管理装置からなる情報処理システムにおいて、
　前記携帯通信端末は、
　　前記管理装置から送信されてきた計測地点または計測時刻を受信する第１の受信手段
　と、
　　前記計測地点に前記携帯通信端末が到達したときの到達時刻を取得し、または前記計
　測時刻における前記携帯通信端末の到達位置を取得する取得手段と、
　　前記取得手段により取得された前記到達時刻または到達位置を、前記管理装置に送信
　する第１の送信手段と
　を備え、
　前記管理装置は、
　　任意の前記計測地点または計測時刻を、前記携帯通信端末に送信する第２の送信手段
　と、
　　前記携帯通信端末の前記第１の送信手段により送信されてきた前記到達時刻または到
　達位置を受信する第２の受信手段と、
　　前記第２の受信手段により受信された前記到達時刻または到達位置に基づいて、前記
　移動体の移動速度または移動時間を算出する第１の算出手段と、
　　前記第２の受信手段により受信された前記到達時刻または到達位置、並びに前記第１
　の算出手段により算出された前記移動速度または移動時間に基づいて、任意の区間また
　は時間帯の空間速度または所要時間を算出する第２の算出手段と
　を備えることを特徴とする情報処理システム。
【請求項７】
　前記管理装置は、
　前記携帯通信端末を、所定の期間において識別する識別情報を生成する生成手段と、
　前記第２の受信手段により受信された前記到達時刻または到達位置と、前記生成手段
　により生成された前記識別情報とを対応付けて記憶部に記憶する記憶手段と
　をさらに備え、
　前記第１の算出手段は、前記識別情報と対応付けられて前記記憶部に記憶されている前記到達時刻または到達位置に基づいて、前記移動速度または移動時間を算出する
　ことを特徴とする請求項６に記載の情報処理システム。
【請求項８】
　１台以上の移動体に携帯された携帯通信端末と通信する情報処理装置において、
　計測地点または計測時刻を、前記携帯通信端末に送信する送信手段と、
　前記携帯通信端末から送信されてきた、前記計測地点に前記携帯通信端末が到達したときの到達時刻、または前記計測時刻における前記携帯通信端末の到達位置を受信する受信手段と、
　前記受信手段により受信された前記到達時刻または到達位置に基づいて、前記移動体の移動速度または移動時間を算出する第１の算出手段と、
　前記受信手段により受信された前記到達時刻または到達位置、並びに前記第１の算出手段により算出された前記移動速度または移動時間に基づいて、任意の区間または時間帯の空間速度または所要時間を算出する第２の算出手段と
　を備えることを特徴とする情報処理装置。
【請求項９】
　１台以上の移動体に携帯された携帯通信端末、および前記携帯通信端末と無線で通信する管理装置からなる情報処理システムにおいて、
　前記携帯通信端末は、
　　交通情報を収集するための操作がなされたとき、前記携帯通信端末の位置を取得する
　取得手段と、
　　前記取得手段により取得された位置情報を管理装置に送信する送信手段と
　を備え、
　前記管理装置は、
　　前記携帯通信端末の前記送信手段により送信されてきた前記位置情報を受信する受信
　手段と、
　　前記受信手段により受信された前記位置情報に基づいて、前記位置情報により示される位置間の前記移動体の移動状態を検出する検出手段と
　を備えることを特徴とする情報処理システム。
【請求項１０】
　前記移動状態は、起終点情報または前記位置間の移動時間である
　ことを特徴とする請求項９に記載の情報処理システム。
【請求項１１】
　前記携帯通信端末を、所定の期間において識別する識別情報を生成する生成手段と、
　前記受信手段により受信された前記位置情報と、前記生成手段により生成された前記識別情報とを対応付けて記憶部に記憶する記憶手段と
　をさらに備え、
　前記検出手段は、前記識別情報と対応付けられて前記記憶部に記憶されている前記位置情報に基づいて、前記移動状態を検出する
　ことを特徴とする請求項１０に記載の情報処理システム。
【発明の詳細な説明】
【技術分野】
【０００１】
　本発明は、情報処理システムおよび情報処理装置に関し、特に、移動通信端末を利用して、交通情報を取得することができるようにした情報処理システムおよび情報処理装置に関する。
【背景技術】
【０００２】
　交通情報としての、例えば、所定の道路における車両速度、走行時間、または交通量などは、従来においては、例えば、道路脇に設置された各種センサーにより、検知されるようになされていた。
【０００３】
　また、交通情報としての、出発地点（例えば、東京都内の所定地点）から目的地点（例えば、観光地で有名な所定の地点）までの所要時間などは、ドライバへのアンケート調査で得られていた。
【発明の開示】
【発明が解決しようとする課題】
【０００４】
　しかしながら、このような従来の方法では、より多くの交通情報を得ようとする場合、センサー等を増設したり、またより多くのアンケート調査を行う必要があり、手間やコストがかかる課題があった。
【０００５】
　本発明はこのような状況に鑑みてなされたものであり、携帯電話やPHSなどの移動通信端末を利用することで、簡単に、交通情報を得ることができるようにするものである。
【課題を解決するための手段】
【０００６】
　本発明の第１の情報処理装置は、１台以上の移動体に携帯された携帯通信端末を、交通情報収集に必要な期間においてのみ識別できる識別情報を生成する生成手段と、２カ所以上の所定の地点に携帯通信端末が到達したときの到達時刻、または２個以上の所定の時刻における携帯通信端末の到達位置を、識別情報に基づいて収集する収集手段と、収集手段により収集された到達時刻または到達位置と、生成手段により生成された識別情報とを対応付けて記憶部に記憶する記憶手段と、識別情報と対応付けられて記憶部に記憶されている到達時刻または到達位置に基づいて、移動体の移動状態を検出する検出手段とを備えることを特徴とする。
【０００７】
　識別情報は、ランダムに発生した数値を含むものとすることができる。
【０００８】
　移動状態は、移動体の移動時間、または移動速度とすることができる。
【０００９】
　検出手段は、識別情報と対応付けられて記憶部に記憶されている到達時刻または到達位置、並びに移動状態として検出した移動速度または移動時間に基づいて、任意の区間または時間帯の空間速度または所要時間を算出することができる。
【００１０】
　生成手段は、所定のタイミングで、携帯通信端末に記憶された識別情報の消去を、携帯通信端末に対して指示することができる。
【００１１】
　本発明の第１の情報処理装置においては、１台以上の移動体に携帯された携帯通信端末を、交通情報収集に必要な期間においてのみ識別できる識別情報が生成され、２カ所以上の所定の地点に携帯通信端末が到達したときの到達時刻、または２個以上の所定の時刻における携帯通信端末の到達位置が、識別情報に基づいて収集され、収集された到達時刻または到達位置と、生成手段により生成された識別情報とが対応付けて記憶部に記憶され、識別情報と対応付けられて記憶部に記憶されている到達時刻または到達位置に基づいて、移動体の移動状態が検出される。
【００１２】
　本発明の第１の情報処理システムは、携帯通信端末が、管理装置から送信されてきた計測地点または計測時刻を受信する第１の受信手段と、計測地点に携帯通信端末が到達したときの到達時刻を取得し、または計測時刻における携帯通信端末の到達位置を取得する取得手段と、取得手段により取得された到達時刻または到達位置を、管理装置に送信する第１の送信手段とを備え、管理装置が、任意の計測地点または計測時刻を、携帯通信端末に送信する第２の送信手段と、携帯通信端末の第１の送信手段により送信されてきた到達時刻または到達位置を受信する第２の受信手段と、第２の受信手段により受信された到達時刻または到達位置に基づいて、移動体の移動速度または移動時間を算出する第１の算出手段と、第２の受信手段により受信された到達時刻または到達位置、並びに第１の算出手段により算出された移動速度または移動時間に基づいて、任意の区間または時間帯の空間速度または所要時間を算出する第２の算出手段とを備えることを特徴とする。
【００１３】
　管理装置は、携帯通信端末を、所定の期間において識別する識別情報を生成する生成手段と、第２の受信手段により受信された到達時刻または到達位置と、生成手段により生成された識別情報とを対応付けて記憶部に記憶する記憶手段とをさらに設け、第１の算出手段には、識別情報と対応付けられて記憶部に記憶されている到達時刻または到達位置に基づいて、移動速度または移動時間を算出させることができる。
【００１４】
　本発明の第１の情報処理システムにおいては、携帯通信端末で、管理装置から送信されてきた計測地点または計測時刻が受信され、計測地点に携帯通信端末が到達したときの到達時刻が取得され、または計測時刻における携帯通信端末の到達位置が取得され、取得された到達時刻または到達位置が、管理装置に送信され、管理装置で、任意の計測地点または計測時刻が、携帯通信端末に送信され、携帯通信端末から送信されてきた到達時刻または到達位置が受信され、受信された到達時刻または到達位置に基づいて、移動体の移動速度または移動時間が算出され、受信された到達時刻または到達位置、並びに算出された移動速度または移動時間に基づいて、任意の区間または時間帯の空間速度または所要時間が算される。
【００１５】
　本発明の第２の情報処理装置は、計測地点または計測時刻を、携帯通信端末に送信する送信手段と、携帯通信端末から送信されてきた、計測地点に携帯通信端末が到達したときの到達時刻、または計測時刻における携帯通信端末の到達位置を受信する受信手段と、受信手段により受信された到達時刻または到達位置に基づいて、移動体の移動速度または移動時間を算出する第１の算出手段と、受信手段により受信された到達時刻または到達位置、並びに第１の算出手段により算出された移動速度または移動時間に基づいて、任意の区間または時間帯の空間速度または所要時間を算出する第２の算出手段とを備えることを特徴とする。
【００１６】
　本発明の第２の情報処理装置においては、計測地点または計測時刻が、携帯通信端末に送信され、携帯通信端末から送信されてきた、計測地点に携帯通信端末が到達したときの到達時刻、または計測時刻における携帯通信端末の到達位置が受信され、受信された到達時刻または到達位置に基づいて、移動体の移動速度または移動時間が算出され、受信された到達時刻または到達位置、並びに算出された移動速度または移動時間に基づいて、任意の区間または時間帯の空間速度または所要時間が算出される。
【００１７】
　本発明の第２の情報処理システムは、携帯通信端末が、交通情報を収集するための操作がなされたとき、携帯通信端末の位置を取得する取得手段と、取得手段により取得された位置情報を管理装置に送信する送信手段とを備え、管理装置が、携帯通信端末の送信手段により送信されてきた位置情報を受信する受信手段と、受信手段により受信された位置情報に基づいて、位置情報により示される位置間の移動体の移動状態を検出する検出手段とを備えることを特徴とする。
【００１８】
　移動状態は、起終点情報または位置間の移動時間とすることができる。
【００１９】
　携帯通信端末を、所定の期間において識別する識別情報を生成する生成手段と、受信手段により受信された位置情報と、生成手段により生成された識別情報とを対応付けて記憶部に記憶する記憶手段とをさらに設け、検出手段には、識別情報と対応付けられて記憶部に記憶されている位置情報に基づいて、移動状態を検出させることができる。
【００２０】
　本発明の第２の情報処理システムにおいては、携帯通信端末で、交通情報を収集するための操作がなされたとき、携帯通信端末の位置が取得され、取得された位置情報が管理装置に送信され、管理装置で、携帯通信端末から送信されてきた位置情報が受信され、受信された位置情報に基づいて、位置情報により示される位置間の移動体の移動状態が検出される。
【発明の効果】
【００２１】
　第１乃至第４の本発明によれば、例えば、容易に交通情報を収集することができる。
【発明を実施するための最良の形態】
【００２２】
　図１は、本発明を提供した交通情報収集システムの利用例を示している。このシステムは、例えば、走行する自動車内に携帯された携帯電話１、および携帯電話１と、交通情報収集のための通信を行う管理装置２から構成されている。
【００２３】
　携帯電話１は、例えば、複数の基地局から電波を受信することで、受信した電波の受信時間差に基づいて、自分自身の位置を検出するとともに、自分自身が所定の地点に到達したか否かを判定し、その地点に到達したとき、その地点の位置情報（例えば、経度と緯度に対応した座標データ）および到達した時刻などを、管理装置２に送信する。なお、基地局は、人工衛星などでも、電話回線の通信局などでも良い。
【００２４】
　管理装置２は、携帯電話１から送信された位置情報や到達時刻（以下、個々に区別する必要がない場合、これらをまとめて、地点情報と称する）に基づいて、携帯電話１の移動速度を、それが携帯されている自動車の車両速度として算出する。
【００２５】
　また、管理装置２は、携帯電話１から送信されてきた地点情報を、自動車の出発地点および目的地点のものとして利用し、例えば、出発地点と目的地点間の、所要時間を算出する。
【００２６】
　すなわち、このように、携帯電話１から送信されてきた各種情報に基づいて（携帯電話１のユーザの協力により）、交通情報を取得することができる。
【００２７】
　なお、図１には、１台の携帯電話１のみが示されているが、実際は、複数の携帯電話１が存在し、管理装置２は、それらから送信されてきた地点情報に基づいて、それぞれの移動速度を算出したり、出発地点と目的地点の所要時間などを算出する。
【００２８】
　図２は、携帯電話１の構成例を示している。なお、図２には、このシステムを利用するために必要な構成のみが示されており、携帯電話としての機能を実現する他の構成の図示は、省略されている。
【００２９】
　入力部１２は、例えば、携帯電話１の操作面に設けられた一般情報収集ボタンＡおよび起終点情報収集ボタンＢ（共に図示せず）を有しており、それらがユーザにより操作されたとき、その操作に対応する信号を処理部１１に出力する。
【００３０】
　一般情報収集ボタンＡは、携帯電話１の移動速度（車両速度）を算出するための情報（２地点の位置情報と到達時刻）を、管理装置２に送信する場合に操作されるボタンである。起終点情報収集ボタンＢは、出発地点から目的地点までの所要時間などを算出するための情報（出発地点と目的地点の位置情報と到達時刻）を、管理装置２に送信する場合に操作されるボタンである。
【００３１】
　記憶部１３は、処理部１１を介して供給される、管理装置２から送信されたシステムＩＤ（後述）を記憶する。
【００３２】
　位置検出部１４は、携帯電話１の位置を検出する。通信部１５は、アンテナ１６を介して、管理装置２と通信する。
【００３３】
　処理部１１は、各部を制御し、一般情報収集ボタンＡまたは起終点情報収集ボタンＢの操作に対応する処理を実行する。なお、処理部１１が実行するこれらの処理については、後述する。
【００３４】
　図３は、管理装置２の構成例を示している。
【００３５】
　入力部２２は、キーボード等から構成され、管理装置２の管理者による操作に対応する信号を、処理部２１に出力する。
【００３６】
　記憶部２３は、処理部２１から供給される、システムＩＤ（後述）および携帯電話１から送信されてきた地点情報を記憶する。通信部２４は、アンテナ２５を介して、携帯電話１と通信する。
【００３７】
　次に、携帯電話１の一般情報収集ボタンＡが操作された場合の処理部１１の動作を、図４のフローチャートを参照して説明する。
【００３８】
　ステップＳ１において、携帯電話１の一般情報収集ボタンＡが操作され、その操作に対応する信号が、入力部１２から処理部１１に入力されると、ステップＳ２において、処理部１１は、システムＩＤを取得する処理を実行する。ここでの処理の詳細は後述するが、この処理を実行することで、処理部１１は、携帯電話１を識別するために利用されるシステムＩＤの他、第１の計測地点と第２の計測地点の位置情報を取得する。第１の計測地点および第２の計測地点は、自動車が通過する所定の地点であり、第１の計測地点は、自動車の走行方向に対して、第２の計測地点より手前にある地点である。すなわち、自動車は、第１の計測地点に先に到達した後、第２の計測地点に到達する。
【００３９】
　次に、ステップＳ３において、処理部１１は、位置検出部１４を制御して、携帯電話１の位置を検出する処理を開始させ、ステップＳ４において、検出させた携帯電話１の位置により、携帯電話１（自動車）が、ステップＳ２で取得した第１の計測地点に到達したか否かを判定し、到達したと判定した場合、ステップＳ５に進む。なお、ここでの位置検出処理の詳細は、後述する。
【００４０】
　ステップＳ５において、処理部１１は、ステップＳ２で取得したシステムＩＤおよび第１の計測地点の位置情報、並びにステップＳ４で、第１の計測地点に到達したと判定した時刻（到達時刻）を、通信部１５およびアンテナ１６を介して、管理装置２に送信する。すなわち、システムＩＤと第１の計測地点に関する地点情報（位置情報と到達時刻）が、管理装置２に送信される。
【００４１】
　次に、ステップＳ６において、処理部１１は、ステップＳ３で開始させた位置検出処理により検出された携帯電話１の位置（現在の位置）に基づいて、携帯電話１が、第２の計測地点に到達したか否かを判定し、到達したと判定した場合、ステップＳ７に進む。
【００４２】
　ステップＳ７において、処理部１１は、ステップＳ２で取得したシステムＩＤおよび第２の計測地点の位置情報、並びにステップＳ６で、第２の計測地点の到達時刻を、通信部１５およびアンテナ１６を介して、管理装置２に送信する。すなわち、システムＩＤと第２の計測地点に関する地点情報（位置情報および到達時刻）が、管理装置２に送信される。
【００４３】
　その後、処理は終了する。
【００４４】
　次に、図４のステップＳ２の処理（システムＩＤ取得処理）の詳細を、図５のフローチャートを参照して説明する。
【００４５】
　ステップＳ１１において、処理部１１は、記憶部１３から、以前に実行されたシステムＩＤ取得処理で記憶されたシステムＩＤを削除する。
【００４６】
　次に、ステップＳ１２において、処理部１１は、通信部１５およびアンテナ１６を介して、システムＩＤを要求する信号（以下、システムＩＤ要求信号と称する）を管理装置２に送信する。
【００４７】
　ステップＳ１３において、処理部１１は、通信部１５により、管理装置２からの所定の番号（ランダムな数値で、以下において、第１のランダム番号と称する）が受信されたか否かを判定し、受信されたと判定した場合、ステップＳ１４に進む。
【００４８】
　ステップＳ１４において、処理部１１は、ランダムな数値を、第２のランダム番号として生成し、それを、通信部１５およびアンテナ１６を介して、管理装置２に送信する。
【００４９】
　次に、ステップＳ１５において、処理部１１は、通信部１５により、管理装置２からのシステムＩＤ（第１のランダム番号と第２のランダム番号が合成されて生成されたＩＤ）、並びに第１の計測地点および第２の計測地点の位置情報が受信されたか否かを判定し、受信されたと判定した場合、ステップＳ１６に進み、それらを、記憶部１３に記憶させる。
【００５０】
　ステップＳ１７において、処理部１１は、ステップＳ１６で、記憶部１３に記憶させたシステムＩＤ（ステップＳ１５で受信されたシステムＩＤ）を、通信部１５およびアンテナ１６を介して、管理装置２に送信する。
【００５１】
　その後、処理は終了し、図４のステップＳ３に進む。
【００５２】
　次に、上述したシステムＩＤ取得処理に対応する処理（システムＩＤ付与処理）を実行する場合の管理装置２の動作を、図６のフローチャートを参照して説明する。
【００５３】
　ステップＳ２１において、管理装置２の処理部２１は、通信部２４により、システムＩＤ要求信号が受信されたか否かを判定し、受信されたと判定した場合、ステップＳ２２に進み、第１のランダム番号を生成し、システムＩＤ要求信号の送信元である携帯電話１に送信する。携帯電話１は、管理装置２から送信された第１のランダム番号を受信する（図５のステップＳ１３）。
【００５４】
　次に、ステップＳ２３において、通信部２４により、ステップＳ２１で受信されたシステムＩＤ要求信号の送信元である携帯電話１から送信された第２のランダム番号（図５のステップＳ１４）が受信されたか否かを判定し、受信されたと判定した場合、ステップＳ２４に進む。一方、受信されていないと判定された場合（例えば、第１のランダム番号を送信してから、所定の時間経過しても受信されない場合）、ステップＳ２２に戻る。
【００５５】
　ステップＳ２４において、処理部２１は、ステップＳ２２で生成した第１のランダム番号と、ステップＳ２３で受信された第２のランダム番号を、所定の規則に基づいて合成し、システムＩＤを生成する。次に、ステップＳ２５において、処理部２１は、通信部２４およびアンテナ２５を介して、生成したシステムＩＤ、並びに第１の計測地点および第２の計測地点の位置情報を、携帯電話１に対して送信する。携帯電話１は、管理装置２から送信されたシステムＩＤ、並びに第１の計測地点および第２の計測地点の位置情報を受信する（図５のステップＳ１５）。
【００５６】
　次に、ステップＳ２６において、処理部２１は、通信部２４により、携帯電話１からの、ステップＳ２５で送信されたシステムＩＤと同じＩＤ（図５のステップＳ１７）が受信されたか否かを判定し、受信されたと判定した場合、ステップＳ２７に進む。
【００５７】
　ステップＳ２７において、処理部２１は、ステップＳ２６で受信されたシステムＩＤ（ステップＳ２４で生成したシステムＩＤ）を、記憶部２３に記憶させる。その後、ステップＳ２１に戻り、処理部２１は、それ以降の処理を繰り返し実行する。
【００５８】
　ステップＳ２６で、システムＩＤが受信されていないと判定された場合（例えば、システムＩＤを送信してから、所定の時間経過しても受信されない場合）、ステップＳ２７の処理はスキップされ、ステップＳ２１に戻る。すなわち、この場合、ステップＳ２５で送信したシステムＩＤが携帯電話１により受信されなかったものとして、このシステムＩＤは、記憶部２３に記憶されない。
【００５９】
　このように携帯電話１を識別するために利用されたシステムＩＤを、ランダムの数値を含むものとし（図６のステップＳ２４）、所定のタイミングで消去するようにしたので（図５のステップＳ１１）、例えば、携帯電話１のユーザは、プライバシー侵害を恐れることなく、地点情報を提供することができる。
【００６０】
　次に、図４のステップＳ３で開始される携帯電話１の位置検出処理を、図７のフローチャートを参照して説明する。
【００６１】
　ステップＳ３１において、携帯電話１の位置検出部１４は、通信部１５およびアンテナ１６を介して、複数の基地局からの電波を受信する。
【００６２】
　次に、ステップＳ３２において、位置検出部１４は、受信した電波に示される、電波の送信元である基地局の位置情報および電波の受信時刻に基づいて、携帯電話１の位置を算出する。その後、位置検出部１４は、ステップＳ３１に戻り、それ以降の処理を繰り返し実行する。
【００６３】
　次に、携帯電話１から送信されてきた、システムＩＤ、並びに第１の計測地点または第２の計測地点の地点情報（位置情報と到達時刻）（図４のステップＳ５，Ｓ７）を受信した場合の管理装置２の動作を、図８のフローチャートを参照して説明する。
【００６４】
　ステップＳ４１において、管理装置２の処理部２１は、通信部２４により、システムＩＤおよび地点情報が受信されたか否かを判定し、受信されたと判定した場合、ステップＳ４２に進む。
【００６５】
　ステップＳ４２において、処理部２１は、受信されたシステムＩＤと同じＩＤを、記憶部２３に記憶されているシステムＩＤ（図６のステップＳ２７で記憶されたシステムＩＤ）から検出するとともに、受信された第１の計測地点および第２の計測地点の地点情報を、そのシステムＩＤに対応させて記憶させる。
【００６６】
　図９は、記憶部２３に記憶されたシステムＩＤおよび地点情報を示している。このように、図６のステップＳ２７で記憶されたシステムＩＤに対応して、図８のステップＳ４１で受信された第１の計測地点および第２の計測地点の地点情報（位置情報および到達時刻）が記憶される。また、図９の例の場合、それぞれ対応して記憶されているシステムＩＤおよび地点情報には、管理番号ｉ（＝１，２，・・・）が、記憶順に与えられる。
【００６７】
　以上においては、第１の計測地点および第２の計測地点が、管理装置２から供給されたそれらの位置情報（図６のステップＳ２５）により特定される場合を例として説明したが、携帯電話１側で任意で決定するようにしたり、また道路毎に、予め決めておくようにすることもできる。また、時間を基準として、計測地点を決定するようにすることができる。
【００６８】
　次に、時間を基準として、計測地点を決定する場合の携帯電話１の動作を、図１０のフローチャートを参照して説明する。
【００６９】
　ステップＳ５１において、携帯電話１の一般情報収集ボタンＡが操作され、その操作に対応する信号が、入力部１２から処理部１１に入力されると、ステップＳ５２において、処理部１１は、システムＩＤを取得する処理を実行する。ここでの処理の詳細は後述するが、この処理を実行することで、処理部１１は、携帯電話１を識別するために利用されるシステムＩＤの他、第１の時刻と第２の時刻の時刻情報を取得する。なお、第２の時刻は、第１の時刻より後の時刻である。
【００７０】
　次に、ステップＳ５３において、処理部１１は、内蔵する時計を参照し、現在の時刻が、第１の時刻になるまで待機し、第１の時刻になったとき、ステップＳ５４に進む。
【００７１】
　ステップＳ５４において、処理部１１は、位置検出部１４を制御して、第１の時刻における携帯電話１の位置（第１の計測地点の位置）を検出させる。なお、ここでの位置検出処理および後述するステップＳ５７での位置検出処理は、図７のフローチャートを参照して説明した場合と同様であるので、その説明は省略する。
【００７２】
　ステップＳ５５において、処理部１１は、第１の計測地点に関する地点情報（位置情報と第１の時刻）およびシステムＩＤを、通信部１５およびアンテナ１６を介して、管理装置２に送信する。
【００７３】
　次に、ステップＳ５６において、処理部１１は、内蔵する時計を参照し、現在の時刻が、第２の時刻になるまで待機し、第２の時刻になったとき、ステップＳ５７に進む。
【００７４】
　ステップＳ５７において、処理部１１は、位置検出部１４を制御して、第２の時刻における携帯電話１の位置（第２の計測地点の位置）を検出させ、ステップＳ５８において、第２の計測地点に関する地点情報およびシステムＩＤを、通信部１５およびアンテナ１６を介して、管理装置２に送信する。
【００７５】
　その後、処理は終了する。なお、携帯電話１から送信されてきた、システムＩＤ、並びに第１の計測地点または第２の計測地点の地点情報（図１０のステップＳ５５，Ｓ５８）を受信した場合の管理装置２の動作は、図８のフローチャートを参照して説明した場合と同様であるので、その説明は省略する。
【００７６】
　次に、図１０のステップＳ５２の処理（システムＩＤ取得処理）の詳細を、図１１のフローチャートを参照して説明する。
【００７７】
　ステップＳ６１乃至ステップＳ６４、およびステップＳ６７においては、図５のステップＳ１１乃至ステップＳ１４、およびステップＳ１７の場合と同様の処理が実行されるので、その説明は省略する。
【００７８】
　ステップＳ６５において、携帯電話１の処理部１１は、通信部１５により、管理装置２からのシステムＩＤ（第１のランダム番号と第２のランダム番号が合成されて生成されたＩＤ）、並びに第１の時刻および第２の時刻の時刻情報が受信されたか否かを判定し、受信されたと判定した場合、ステップＳ６６に進み、それらを、記憶部１３に記憶させる。
【００７９】
　次に、図１１のフローチャートで示したシステムＩＤ取得処理に対応する処理（システムＩＤ付与処理）を実行する場合の管理装置２の動作を、図１２のフローチャートを参照して説明する。
【００８０】
　ステップＳ７１乃至ステップＳ７４、およびステップＳ７６，Ｓ７７においては、図６のステップＳ２１乃至ステップＳ２４、およびステップＳ２６，Ｓ２７の場合と同様の処理が行われるので、その説明は省略する。
【００８１】
　ステップＳ７５において、管理装置２の処理部２１は、通信部２４およびアンテナ２５を介して、生成したシステムＩＤ、並びに第１の時刻および第２の時刻の時刻情報を、携帯電話１に対して送信する。携帯電話１は、管理装置２から送信されたシステムＩＤ、並びに第１の時刻および第２の時刻の時刻情報を受信する（図１１のステップＳ６５）。
【００８２】
　次に、第１の計測地点および第２の計測地点の地点情報を利用して、携帯電話１の移動速度（車両速度）を算出する処理を実行する場合の管理装置２の動作を、図１３のフローチャートを参照して説明する。なお、ここでの第１の計測地点および第２の計測地点は、管理装置２により特定されたものとする（図６）。
【００８３】
　ステップＳ８１において、管理装置２の処理部２１は、管理番号ｉをカウントするカウンタｉに、値１を初期設定する。
【００８４】
　ステップＳ８２において、処理部２１は、記憶部２３から、カウンタｉの値の管理番号が与えられた第１の計測地点の位置情報および到達時刻を読み出し、ステップＳ８３において、同じ管理番号が与えられた、第２の計測地点の位置情報および到達時刻を読み出す。
【００８５】
　次に、ステップＳ８４において、処理部２１は、読み出した、第１の計測地点の位置情報および到達時刻、並びに第２の計測地点の位置情報および到達時刻に基づいて、車両速度を算出する。
【００８６】
　例えば、式（１）が演算されて、車両速度が算出される。なお、式中、座標（ｘ1，ｙ1）は、第１の計測地点の位置情報であり、座標（ｘ2，ｙ2）は、第２の計測地点の位置情報である。また、ｔ1は、第１の計測地点への到達時刻であり、ｔ2は、第２の計測地点への到達時刻である。
【数１】
2004030684.tif 000003
　　　　　　　　　　　　　　　　　　　　　　　　　　　　　　・・・・（１）
【００８７】
　次に、ステップＳ８５において、処理部２１は、カウンタｉの値が、記憶部２３に記憶された、システムＩＤおよび地点情報に与えられた管理番号の最大の番号Ｎより大きいか否かを判定し、大きくないと判定した場合、ステップＳ８６に進み、カウンタｉの値を１だけインクリメントして、ステップＳ８２に戻る。すなわち、記憶部２３に記憶されている地点情報の全てに基づいて、それぞれの車両速度が算出されるまで、ステップＳ８２乃至ステップＳ８６の処理が繰り返し実行される。
【００８８】
　ステップＳ８５で、カウンタｉの値がＮより大きいと判定された場合、ステップＳ８７に進み、処理部２１は、ステップＳ８４で算出した車両速度の全てを、図１４に示すように、システムＩＤに対応させて、記憶部２３に記憶させる。その後、処理は終了する。
【００８９】
　時間を基準として、第１の計測地点および第２の計測地点の地点情報が決定される場合も、図１３のフローチャートに示す処理と同様の処理により、携帯電話１の移動速度が算出されるが、この場合、ステップＳ８２に相当する処理で、第１の計測地点の位置情報と第１の時刻が読み出され、ステップＳ８３に相当する処理で、第２の計測地点の位置情報と第２の時刻が読み出される。
【００９０】
　なお、以上においては、車両速度が算出されたが、例えば、式（１）の分母の値、すなわち、第１の計測地点と第２の計測地点の通過時間を、交通状況を表す１つの指数とすることもできる。
【００９１】
　次に、上述したように算出された車両速度を利用して、空間速度を算出する場合の管理装置２の動作を説明する。
【００９２】
　空間速度とは、道路の所定の区間での、そこを通過した複数の自動車の車両速度の平均値であり、その区間における交通状況を表す指数として利用される。
【００９３】
　例えば、図１５の例では、計測地点Ａおよび計測地点Ｂで示される区間を走行したｍ台の自動車１乃至自動車ｍそれぞれの車両速度の平均値が、その区間の空間速度とされる。
【００９４】
　この空間速度を算出する場合の管理装置２の処理手順を、図１６および図１７のフローチャートを参照して説明する（２通りの処理手順を説明する）。
【００９５】
　はじめに、図１６のフローチャートに示す処理手順について説明する。
【００９６】
　ステップＳ９１において、管理装置２の処理部２１は、例えば、管理者による、管理装置２の入力部２２の操作に対応して、空間速度を算出する区間（図１５の例では、計測地点Ａから計測地点Ｂまでの区間）を決定する。
【００９７】
　次に、ステップＳ９２において、処理部２１は、記憶部２３を参照して、ステップＳ９１で決定した区間内にある第１の計測地点および第２の計測地点の位置情報に対応して記憶されている車両速度を、記憶部２３から検出する。すなわち、その区間内を走行したときに算出された車両速度が検出される。
【００９８】
　ステップＳ９３において、処理部２１は、ステップＳ９２で検出した車両速度の平均値を、空間速度として算出する。
【００９９】
　その後、処理は終了する。
【０１００】
　次に、図１７のフローチャートに示す処理手順について説明する。
【０１０１】
　ステップＳ１０１において、管理装置２の処理部２１は、図１６のステップＳ９１の場合と同様に、例えば、管理者による、管理装置２の入力部２２の操作に対応して、空間速度を算出する区間を決定する。
【０１０２】
　次に、ステップＳ１０２において、処理部２１は、例えば、管理者による、管理装置２の入力部２２の操作に対応して、空間速度を算出する時間帯（例えば、午前１０時から午前１１までの時間帯）を決定し、さらに、ステップＳ１０３において、車両の走行方向（例えば、上り方向または下り方向）を決定する。
【０１０３】
　ステップＳ１０４において、処理部２１は、記憶部２３を参照して、ステップＳ１０１で決定した区間内にある第１の計測地点および第２の計測地点の位置情報、ステップＳ１０２で決定した時間帯にある時刻（到達時刻、または第１の時刻若しくは第２の時刻）に対応して記憶され、さらにステップＳ１０３で決定された走行方向に該当する車両速度を、記憶部２３から検出する。すなわち、決定された区間内、時間帯、および方向を走行したときに算出された車両速度が検出される。
【０１０４】
　ステップＳ１０５において、処理部２１は、ステップＳ１０４で検出した車両速度の平均値を、空間速度として算出する。
【０１０５】
　その後、処理は終了する。
【０１０６】
　このように、走行区間に加え、時間帯も決定して、空間速度を算出することより、その区間における、時間帯毎の空間速度の変化を知りことができる。また走行方向を限定することにより、上り車線または下り車線を走行する車両を区別することができる。
【０１０７】
　以上においては、携帯電話１の一般情報収集ボタンＡが操作された場合の携帯電話１および管理装置２の動作について説明したが、次に、携帯電話１の起終点情報収集ボタンＢが操作された場合の携帯電話１および管理装置２の動作を説明する。
【０１０８】
　はじめに、携帯電話１の動作を、図１８のフローチャートを参照して説明する。
【０１０９】
　ステップＳ１１１において、携帯電話１の起終点情報収集ボタンＢに対して、例えば、それをオンする操作がされ、その操作に対応する信号が、入力部１２から処理部１１に入力されると、ステップＳ１１２に進む。例えば、携帯電話１のユーザ（ドライバ）は、出発地点（例えば、自宅前）で、起終点情報収集ボタンＢをオンにする。
【０１１０】
　ステップＳ１１２において、処理部１１は、システムＩＤを取得する処理を開始する。このシステムＩＤ取得処理は、図４のステップＳ２と同様の処理が実行されるので、その説明は省略する。
【０１１１】
　ステップＳ１１３において、処理部１１は、位置検出部１４を制御し、携帯電話１の現在位置（起終点情報収集ボタンＢがオンされたときの携帯電話１の位置）を検出させ、ステップＳ１１４において、システムＩＤとともに、検出させた位置の位置情報および検出時刻を地点情報として、通信部１５およびアンテナ１６を介して、管理装置２に送信する。
【０１１２】
　次に、ステップＳ１１５において、起終点情報収集ボタンＢに対して、例えば、それをオフ（解除）する操作がされ、その操作に対応する信号が、入力部１２から処理部１１に入力されると、ステップＳ１１６に進む。例えば、ユーザは、目的地点に到着したときに、起終点情報収集ボタンＢに対して、それをオフする操作を行う。
【０１１３】
　ステップＳ１１６において、処理部１１は、位置検出部１４を制御し、携帯電話１の現在位置（起終点情報収集ボタンＢがオフされたときの携帯電話１の位置）を検出させ、ステップＳ１１７において、システムＩＤとともに、検出させた位置の位置情報と検出時刻を地点情報として、通信部１５およびアンテナ１６を介して、管理装置２に送信する。
【０１１４】
　その後、処理は終了する。
【０１１５】
　次に、この場合の管理装置２の動作を説明する。
【０１１６】
　管理装置２は、携帯電話１から送信されてきた、出発地点の地点情報（図１８のステップＳ１１４）および目的地点の地点情報（図１８のステップＳ１１７）を受信すると、図８を参照して説明したように、それらを記憶部２３に記憶させる。なお、この場合、それらの地点情報は、出発地点のものまたは目的地点のものとして記憶される。
【０１１７】
　管理装置２は、例えば、記憶した出発地点と目的地点の検出時刻の差を算出し、出発地点から目的地点までの所要時間を算出する。
【０１１８】
　このようにして、出発地点から目的地点までの所要時間が算出される。
【０１１９】
　以上のように、例えば、車両に携帯された携帯電話１から送信される地点情報を受信するようにしたので、容易に、交通情報を取得することができる。
【０１２０】
　また、携帯電話１を識別するために利用されたシステムＩＤを、ランダムの数値を含むものとし（図６のステップＳ２４）、所定のタイミングで消去するようにしたので（図５のステップＳ１１）、携帯電話１のユーザは、プライバシー侵害を恐れることなく、地点情報を提供することができる。
【０１２１】
　なお、以上においては、携帯電話１において一般情報収集ボタンＡまたは起終点情報収集ボタンＢが操作されたときに（図４のステップＳ１または図１８のステップＳ１１１）、先に与えられたシステムＩＤが消去され（図５のステップＳ１１）、その後、新たなシステムＩＤが付与される（図５のステップＳ１５）場合を例として説明したが、システムＩＤが付与された後、所定の期間経過後（例えば、地点情報を受信した後（図８のステップＳ４１）、すなわち交通情報収集に必要な期間後）、それが消去されるようにすることもできる。また、管理装置２が、システムＩＤの付与および消去のタイミングを制御するようにすることもできる。
【０１２２】
　また、自動車（携帯電話１）が、所定の地域（例えば、都市部）に入ったときに、システムＩＤを付与し、その地域（都市部）から出たときにそれを消去するようにすることができる。このようにすることで、例えば、都市部を走行する自動車からの交通情報を、容易に管理することができる。
【０１２３】
　また、以上においては、携帯電話１において、複数の基地局から電波を受信することで、携帯電話１の位置を検出する場合を例として説明したが、例えば、GPS機能を有する携帯電話の場合においては、その機能を利用して、自分の位置を検出することができる。
【０１２４】
　また、以上においては、自動車に携帯電話１が携帯されている場合を例として説明したが、例えば、自動二輪車、自転車、または歩行する人に携帯されている場合においても、本発明を利用することができる。
【０１２５】
　上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述した管理装置２が機能的に実現される。
【０１２６】
　図１９は、上述のような管理装置２として機能するコンピュータ１０１の一実施の形態の構成を示すブロック図である。CPU（Central Processing Unit）１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM（Read Only Memory）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。これにより、上述した各種の処理（例えば、図６，８，１２，１３，１６、１７のフローチャートにより示される処理）が行われる。さらに、CPU１１１は、その処理結果を、例えば、入出力インタフェース１１６を介して、LCD（Liquid Crystal Display）などよりなる表示部１１７に必要に応じて出力する。なお、プログラムは、ハードディスク１１４やROM１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【０１２７】
　なお、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【０１２８】
　また、本明細書において、システムとは、複数の装置により構成される装置全体を表すものである。
【図面の簡単な説明】
【０１２９】
【図１】本発明を適用した交通情報収集システムの利用例を示す図である。
【図２】図１の携帯電話の構成例を示すブロック図である。
【図３】図１の管理装置の構成例を示すブロック図である。
【図４】一般情報収集ボタンＡが操作された場合の携帯電話の動作を説明するフローチャートである。
【図５】図４のステップＳ２のシステムＩＤ取得処理を説明するフローチャートである。
【図６】システムＩＤ付与処理を実行する場合の管理装置の動作を説明するフローチャートである。
【図７】図４のステップＳ３の位置検出処理を説明するフローチャートである。
【図８】地点情報を受信した場合の管理装置の動作を説明するフローチャートである。
【図９】図１の管理装置の記憶部に記録されたシステムＩＤおよび地点情報を示す図である。
【図１０】一般情報収集ボタンＡが操作された場合の携帯電話の他の動作を説明するフローチャートである。
【図１１】図１０のステップＳ５２のシステムＩＤ取得処理を説明するフローチャートである。
【図１２】システムＩＤ付与処理を実行する場合の管理装置の他の動作を説明するフローチャートである。
【図１３】車両速度算出処理を実行する場合の管理装置の動作を説明するフローチャートである。
【図１４】図１の管理装置の記憶部に記録された車両速度を示す図である。
【図１５】空間速度を説明する図である。
【図１６】空間速度算出処理を実行する場合の管理装置の動作を説明するフローチャートである。
【図１７】空間速度算出処理を実行する場合の管理装置の他の動作を説明するフローチャートである。
【図１８】起終点情報収集処理を実行する場合の携帯電話の動作を説明するフローチャートである。
【図１９】コンピュータ１０１の構成例を示す図である。
【図１】
2004030684.tif 000004
【図２】
2004030684.tif 000005
【図３】
2004030684.tif 000006
【図４】
2004030684.tif 000007
【図５】
2004030684.tif 000008
【図６】
2004030684.tif 000009
【図７】
2004030684.tif 000010
【図８】
2004030684.tif 000011
【図９】
2004030684.tif 000012
【図１０】
2004030684.tif 000013
【図１１】
2004030684.tif 000014
【図１２】
2004030684.tif 000015
【図１３】
2004030684.tif 000016
【図１４】
2004030684.tif 000017
【図１５】
2004030684.tif 000018
【図１６】
2004030684.tif 000019
【図１７】
2004030684.tif 000020
【図１８】
2004030684.tif 000021
【図１９】
2004030684.tif 000022